【手続補正書】
【提出日】平成24年6月6日(2012.6.6)
【手続補正１】
【補正対象書類名】特許請求の範囲
【補正対象項目名】全文
【補正方法】変更
【補正の内容】
【特許請求の範囲】
【請求項１】
情報処理装置と、該情報処理装置の表示部に操作画面を表示するための画面情報を、該情報処理装置に提供するサーバと、を備える情報処理システムであって、
前記情報処理装置は、
前記サーバに対して前記画面情報を要求する画面情報要求手段と、
前記サーバから、ユーザの認証処理の実行を指示する認証指示情報を受信すると、該認証処理を実行し、認証結果を示す認証情報を生成する認証手段と、
前記認証手段により生成された前記認証情報を前記サーバに送信する認証情報送信手段と、
前記サーバから前記画面情報を受信して、前記表示部に前記操作画面を表示する表示制御手段と、
を備え、
前記サーバは、
前記情報処理装置から前記画面情報の要求を受信すると、前記情報処理装置に対して前記認証処理を実行させるか否かを判定する判定手段と、
前記判定手段により、前記情報処理装置に対して前記認証処理を実行させると判定された場合には、前記情報処理装置に対して前記認証指示情報を送信する認証処理要求手段と、
前記情報処理装置から前記認証情報を受信した場合に、前記情報処理装置に対して、要求された前記画面情報を送信する画面情報送信手段と、
を備えることを特徴とする情報処理システム。
【請求項２】
前記判定手段は、
前記画面情報の要求に、前記認証情報が付加されていない場合には、前記情報処理装置に前記認証処理を実行させると判定し、前記認証情報が付加されている場合には、前記情報処理装置に前記認証処理を実行させないと判定することを特徴とする請求項１に記載の情報処理システム。
【請求項３】
前記画面情報要求手段は、
前記認証手段に前記認証処理を実行させ、生成された前記認証情報を前記画面情報の要求に付加する付加手段を備えることを特徴とする請求項２に記載の情報処理システム。
【請求項４】
前記情報処理装置は、記憶部を更に備え、
前記画面情報要求手段は、
前記画面情報を要求する前に、前記認証情報が前記情報処理装置の記憶部に記憶されていると、該認証情報を前記画面情報の要求に付加する付加手段を備えることを特徴とする請求項２に記載の情報処理システム。
【請求項５】
前記情報処理装置は、
前記認証手段によって前記認証処理を開始した後、該認証処理を終了する前に、予め定められた時間を経過すると、該認証処理の実行中である旨を前記サーバに通知する通知手段を更に備えることを特徴とする請求項１乃至４の何れか１項に記載の情報処理システム。
【請求項６】
前記認証処理要求手段は、
前記認証処理の成否を示す前記操作画面を前記表示部に表示するための、前記画面情報の所在を示すアクセス情報を、前記認証指示情報とともに前記情報処理装置に対して送信し、
前記表示制御手段は、
前記サーバから受信した前記アクセス情報及び前記認証処理の成否に基づいて、該サーバ上のアクセス先の前記画面情報を受信して、前記表示部に前記操作画面を表示することを特徴とする請求項１乃至５の何れか１項に記載の情報処理システム。
【請求項７】
サーバと通信可能な情報処理装置であって、
前記サーバに対して、前記情報処理装置の表示部に操作画面を表示するための画面情報を要求する画面情報要求手段と、
前記サーバから、ユーザの認証処理の実行を指示する認証指示情報を受信すると、該認証処理を実行し、認証結果を示す認証情報を生成する認証手段と、
前記認証手段により生成された前記認証情報を前記サーバに送信する認証情報送信手段と、
前記サーバから前記画面情報を受信して、前記表示部に前記操作画面を表示する表示制御手段と、
を備えることを特徴とする情報処理装置。
【請求項８】
前記画面情報要求手段は、
前記認証手段に前記認証処理を実行させ、生成された前記認証情報を前記画面情報の要求に付加する付加手段を備えることを特徴とする請求項７に記載の情報処理装置。
【請求項９】
記憶部を更に備え、
前記画面情報要求手段は、前記画面情報を要求する前に、前記認証情報が前記記憶部に記憶されていると、該認証情報を前記画面情報の要求に付加する付加手段を備えることを特徴とする請求項７に記載の情報処理装置。
【請求項１０】
前記認証手段によって前記認証処理を開始した後、該認証処理を終了する前に、予め定められた時間を経過すると、該認証処理の実行中である旨を前記サーバに通知する通知手段を更に備えることを特徴とする請求項７乃至９の何れか１項に記載の情報処理装置。
【請求項１１】
情報処理装置と、該情報処理装置の表示部に操作画面を表示するための画面情報を、該情報処理装置に提供するサーバと、を備える情報処理システムの制御方法であって、
前記情報処理装置は、
前記サーバに対して前記画面情報を要求する画面情報要求工程と、
前記サーバから、ユーザの認証処理の実行を指示する認証指示情報を受信すると、該認証処理を実行し、認証結果を示す認証情報を生成する認証工程と、
前記認証工程において生成された前記認証情報を前記サーバに送信する認証情報送信工程と、
前記サーバから前記画面情報を受信して、前記表示部に前記操作画面を表示する表示制御工程と、
を実行し、
前記サーバは、
前記情報処理装置から前記画面情報の要求を受信すると、前記情報処理装置に対して前記認証処理を実行させるか否かを判定する判定工程と、
前記判定工程により、前記情報処理装置に対して前記認証処理を実行させると判定された場合には、前記情報処理装置に対して前記認証指示情報を送信する認証処理要求工程と、
前記情報処理装置から前記認証情報を受信した場合に、前記情報処理装置に対して、要求された前記画面情報を送信する画面情報送信工程と、
を実行することを特徴とする情報処理システムの制御方法。
【請求項１２】
サーバと通信可能な情報処理装置の制御方法であって、
前記サーバに対して、前記情報処理装置の表示部に操作画面を表示するための画面情報を要求する画面情報要求工程と、
前記サーバから、ユーザの認証処理の実行を指示する認証指示情報を受信すると、該認証処理を実行し、認証結果を示す認証情報を生成する認証工程と、
前記認証工程で生成された前記認証情報を前記サーバに送信する認証情報送信工程と、
前記サーバから前記画面情報を受信して、前記表示部に前記操作画面を表示する表示制御工程と、
を備えることを特徴とする情報処理装置の制御方法。
【請求項１３】
請求項１１に記載の情報処理システムの制御方法における各工程を、コンピュータにより実行させるためのプログラム。
【請求項１４】
請求項１２に記載の情報処理装置の制御方法における各工程を、コンピュータにより実行させるためのプログラム。
【手続補正２】
【補正対象書類名】明細書
【補正対象項目名】発明の名称
【補正方法】変更
【補正の内容】
【発明の名称】情報処理システム、情報処理装置及びそれらの制御方法、並びにプログラム
【手続補正３】
【補正対象書類名】明細書
【補正対象項目名】０００８
【補正方法】変更
【補正の内容】
【０００８】
本発明は、例えば、情報処理システムとして実現できる。情報処理システムは、情報処理装置と、情報処理装置の表示部に操作画面を表示するための画面情報を、情報処理装置に提供するサーバと、を備える情報処理システムであって、情報処理装置は、サーバに対して画面情報を要求する画面情報要求手段と、サーバから、ユーザの認証処理の実行を指示する認証指示情報を受信すると、認証処理を実行し、認証結果を示す認証情報を生成する認証手段と、認証手段により生成された認証情報をサーバに送信する認証情報送信手段と、サーバから画面情報を受信して、表示部に操作画面を表示する表示制御手段と、を備え、サーバは、情報処理装置から画面情報の要求を受信すると、情報処理装置に対して認証処理を実行させるか否かを判定する判定手段と、判定手段により、情報処理装置に対して認証処理を実行させると判定された場合には、情報処理装置に対して認証指示情報を送信する認証処理要求手段と、情報処理装置から認証情報を受信した場合に、情報処理装置に対して、要求された画面情報を送信する画面情報送信手段と、を備えることを特徴とする。